(57)【要約】      （修正有）【課題】構造が簡単な多機能マッサージャーを提供する。【解決手段】多機能マッサージャーは、４つのマッサージカラム１１が中心から外へ延設され、２つずつのマッサージカラム１１の間の夾角が１２０度であり、３つずつのマッサージカラム１１のうち交差する３つの面が接続されてマッサージ面１２となり、各マッサージ面１２に異なる第１マッサージ部１３が設けられた本体１と、本体１内に取り付けられた振動モジュール２と、を備える。異なる第１マッサージ部１３により人体に対して多機能マッサージを行うものであり、構造が簡単であるという利点を有する。【選択図】図１
0003228308.tif 000002
【実用新案登録請求の範囲】
【請求項１】
多機能マッサージャーであって、
４つのマッサージカラムが中心から外へ延設され、２つずつのマッサージカラムの間の夾角が１２０度であり、３つずつのマッサージカラムのうち交差する３つの面が接続されてマッサージ面となり、各マッサージ面に異なる第１マッサージ部が設けられた本体と、
本体内に取り付けられた振動モジュールと、を備える、ことを特徴とする多機能マッサージャー。
【請求項２】
各マッサージカラムの端部には、異なる第２マッサージ部が設けられる、ことを特徴とする請求項１に記載の多機能マッサージャー。
【請求項３】
前記本体は、フロントカバー、リアカバー及びボトムカバーが互いに接続されてなるものであり、接続部が設けられており、前記マッサージカラムは接続部に取り付けられている、ことを特徴とする請求項１に記載の多機能マッサージャー。
【請求項４】
本体用シリコンスリーブ及びカラム用シリコンスリーブをさらに備え、前記本体用シリコンスリーブとカラム用シリコンスリーブはそれぞれ本体とマッサージカラムに套設される、ことを特徴とする請求項１に記載の多機能マッサージャー。
【請求項５】
前記振動モジュールは、主制御ボード、駆動モータ、偏心ブロック及び電池を備え、前記主制御ボードは、それぞれ駆動モータ及び電池に電気的に接続され、前記偏心ブロックは駆動モータの出力軸に配置される、ことを特徴とする請求項１に記載の多機能マッサージャー。
【請求項６】
前記主制御ボードには、本体から突出した電源スイッチ、振動強度指示灯及び残量指示灯が設けられる、ことを特徴とする請求項５に記載の多機能マッサージャー。
【請求項７】
前記電池は充電電池であり、前記主制御ボードには、本体から突出したＤＣコネクタが設けられている、ことを特徴とする請求項５に記載の多機能マッサージャー。
【請求項８】
充電ベースをさらに備え、前記充電ベースには、外部電源に接続されたＴＰＹＥ−Ｃコネクタがさらに設けられ、前記本体は、磁気コネクタを介して充電ベースに取り外し可能に配置され、前記主制御ボードは充電ベースに接触して電気的に接続される、ことを特徴とする請求項７に記載の多機能マッサージャー。
【請求項９】
前記充電ベースの底部には、滑り止めゴムマットが取り付けられている、ことを特徴とする請求項８に記載の多機能マッサージャー。
【考案の詳細な説明】
【技術分野】
【０００１】
本考案は、マッサージャーの技術分野に関し、特に多機能マッサージャーに関する。
【背景技術】
【０００２】
現代社会では、家族、仕事や生活によるプレッシャーが非常に大きく、長時間に亘ってストレスの状態であると、筋肉が緊張しやすく、体が亜健康状態になり、体をマッサージすることはこの問題を解決するための有効な方法であるが、体のさまざまな部分に応じてマッサージ方法はさまざまであるため、さまざまなマッサージャーが開発されている。
【０００３】
もちろん、体のさまざまな部分に異なるモードのマッサージを行うことができる多機能マッサージャーも市場に出ているが、その構造は複雑である。
【０００４】
以上に鑑み、本考案者は、上記マッサージャーの構造設計の不備に起因する多くの欠陥や不便さを詳細に検討し、積極的に改良を行った結果、本考案を開発するに至った。
【考案の概要】
【考案が解決しようとする課題】
【０００５】
本考案の目的は、構造が簡単である多機能マッサージャーを提供することである。
【課題を解決するための手段】
【０００６】
上記目的を達成させるために、本考案の解決手段は以下のとおりである。
【０００７】
多機能マッサージャーであって、
４つのマッサージカラムが中心から外へ延設され、２つずつのマッサージカラムの間の夾角が１２０度であり、３つずつのマッサージカラムのうち交差する３つの面が接続されてマッサージ面となり、各マッサージ面に異なる第１マッサージ部が設けられた本体と、
本体内に取り付けられた振動モジュールと、を備える。
【０００８】
各マッサージカラムの端部には、異なる第２マッサージ部が設けられる。
【０００９】
前記本体は、フロントカバー、リアカバー及びボトムカバーが互いに接続されてなるものであり、接続部が設けられており、前記マッサージカラムは接続部に取り付けられている。
【００１０】
前記マッサージャーは、本体用シリコンスリーブ及びカラム用シリコンスリーブをさらに備え、前記本体用シリコンスリーブとカラム用シリコンスリーブはそれぞれ本体とマッサージカラムに套設される。
【００１１】
前記振動モジュールは、主制御ボード、駆動モータ、偏心ブロック及び電池を備え、前記主制御ボードは、それぞれ駆動モータ及び電池に電気的に接続され、前記偏心ブロックは駆動モータの出力軸に配置される。
【００１２】
前記主制御ボードには、本体から突出した電源スイッチ、振動強度指示灯及び残量指示灯が設けられる。
【００１３】
前記電池は充電電池であり、前記主制御ボードには、本体から突出したＤＣコネクタが設けられている。
【００１４】
前記マッサージャーは充電ベースをさらに備え、前記充電ベースには、外部電源に接続されたＴＰＹＥ−Ｃコネクタがさらに設けられ、前記本体は、磁気コネクタを介して充電ベースに取り外し可能に配置され、前記主制御ボードは充電ベースに接触して電気的に接続される。
【００１５】
前記充電ベースの底部には、滑り止めゴムマットが取り付けられている。
【考案の効果】
【００１６】
上記技術案を用いると、本考案の本体に４つのマッサージカラムが設けられ、２つずつのマッサージカラムの間の夾角が１２０度であり、３つずつのマッサージカラムのうち交差する３つの面が接続されてマッサージ面となり、各マッサージ面に異なる第１マッサージ部が設けられ、それにより、異なる第１マッサージ部により人体に対して多機能マッサージを行い、本考案は構造が簡単であるという利点を有する。
【図面の簡単な説明】
【００１７】
【図１】本考案の好適実施例の解体図である。
【考案を実施するための形態】
【００１８】
本考案の技術案をさらに解釈するために、以下、特定実施例にて本考案を詳細に説明する。
【００１９】
なお、本考案の説明において、「中心」、「縦方向」、「横方向」、「上」、「下」、「前」、「後」、「左」、「右」、「垂直」、「水平」、「頂」、「底」、「内」、「外」などの用語により示される方位と位置関係は、図面に示されている方位又は位置関係に基づいているものであり、本考案の説明の便宜及び簡素化のために過ぎず、言及されている装置又は要素が特定の方位を有したり、特定の方位で構築及び操作されなければならないことを指示又は暗示するものではなく、従って、本考案の特定の請求範囲を限定するものとして解釈されるべきではない。本考案の説明において、特に断らない限り、「複数」は２つ又は２つ以上を意味する。
【００２０】
図１には、本考案の多機能マッサージャーの好適実施例が示されている。この多機能マッサージャーは、本体１及び振動モジュール２を備え、本体１は、４つのマッサージカラム１１が中心から外へ延設され、２つずつのマッサージカラム１１の間の夾角が１２０度であり、３つずつのマッサージカラム１１のうち交差する３つの面が接続されてマッサージ面１２となり、各マッサージ面１２には、異なる第１マッサージ部１３が設けられ、振動モジュール２は、本体１内に取り付けられる。
【００２１】
使用するにあたって、振動モジュール２を起動させ、振動モジュール２は本体１とマッサージカラム１１を持続的に振動させ、このとき、そのうちの１つのマッサージ面１２が人体に当たると、このマッサージ面１２における第１マッサージ部１３で人体をマッサージすることができる。
【００２２】
本考案の重点は、本考案の本体１に４つのマッサージカラム１１が設けられ、２つずつのマッサージカラム１１の間の夾角が１２０度であり、３つずつのマッサージカラム１１のうち交差する３つの面が接続されてマッサージ面１２となり、各マッサージ面１２には、異なる第１マッサージ部１３が設けられ、異なる第１マッサージ部１３で人体に対して多機能マッサージを行うことにあり、本考案は、構造が簡単であるという利点を有する。
【００２３】
各マッサージカラム１１の端部には、異なる第２マッサージ部１４が設けられる。異なる第２マッサージ部１４が設けられることによって、マッサージャーの機能をさらに高め、人体の各部位に対してマッサージを行うことが可能になる。
【００２４】
上記本体１は、フロントカバー１５、リアカバー１６及びボトムカバー１７が互いに接続されてなるものであり、接続部１８が設けられており、マッサージカラム１１は接続部１８に取り付けられている。フロントカバー１５、リアカバー１６及びボトムカバー１７の設置により、振動モジュール２を本体１内に取り付けるときの便利さから、組み立てるときに、まず、フロントカバー１５、リアカバー１６及びボトムカバー１７を分離することができる。
【００２５】
上記マッサージャーは、本体用シリコンスリーブ３及びカラム用シリコンスリーブ４をさらに備え、本体用シリコンスリーブ３とカラム用シリコンスリーブ４は、それぞれ本体１とマッサージカラム１１に設けられる。本体用シリコンスリーブ３とカラム用シリコンスリーブ４の設置により、本体用シリコンスリーブ３とカラム用シリコンスリーブ４は、本体１とマッサージカラム１１を被覆し、マッサージをするときに、良好な生体適合性を有し、人体の組織に対して刺激性や毒性、アレルギー反応がなく、且つ体への違和感が極めて少ない本体用シリコンスリーブ３とカラム用シリコンスリーブ４を人体と接触させることで、マッサージの使用感がさらに向上する。
【００２６】
上記振動モジュール２は、主制御ボード２１、駆動モータ２２、偏心ブロック２３及び電池２４を備え、主制御ボード２１は、それぞれ駆動モータ２２及び電池２４に電気的に接続され、偏心ブロック２３は駆動モータ２２の出力軸に配置される。使用する際に、電池２４により給電され、主制御ボード２１の制御下で、駆動モータ２２は偏心ブロック２３を偏心回動させて、遠心力を発生させ、遠心力の作用下で振動を発生させ、振動により人体をマッサージする。
【００２７】
上記主制御ボード２１には、本体１から突出した電源スイッチ２１１、振動強度指示灯２１２及び残量指示灯２１３が設けられる。プログラム設定により、使用する際に、電源スイッチ２１１を長押することでマッサージャーを起動又は停止することができ、マッサージにおいて、電源スイッチ２１１を１回押すことで振動モジュール２の振動強度を切り替えることができ、また、残量指示灯２１３を通じてマッサージャーの残量を正確に把握することもできる。
【００２８】
上記電池２４は充電電池であり、主制御ボード２１には、本体１から突出したＤＣコネクタ２１４がさらに設けられている。マッサージャーは、ＤＣコネクタ２１４を介して電池２４を充電可能である。
【００２９】
上記マッサージャーは充電ベース５をさらに備え、充電ベース５には、外部電源に接続されたＴＰＹＥ−Ｃコネクタ５１が設けられ、本体１は、磁気コネクタ１９を介して充電ベース５に取り外し可能に配置され、主制御ボード２１は、充電ベース５に接触して電気的に接続される。使用する際に、本体１を充電ベース５に直接セットすると、本体１は、磁気コネクタ１９を介して充電ベース５に自動的に合わせて接続され、充電ベース５は、電池２４を充電する。充電ベース５の設置によって、マッサージャーの充電方式が増え、そして、充電ベース５で充電する場合、充電ケーブルを抜き差しする必要はなく、充電操作が簡素化される。
【００３０】
上記充電ベース５の底部には、滑り止めゴムマット５２が取り付けられている。滑り止めゴムマット５２の設置によって、充電ベース５をテーブルなどに安定的に配置することができ、その滑り止めを回避できる。
【００３１】
本考案の特定の例示的な実施形態の上記説明は、説明及び例示を目的とするものであり、これらの説明は、本考案を開示された特定の形態に限定することを意図せず、明らかなように、上記教示に基づいて多くの変更及び変化がなされ得る。例示的な実施例を選択して説明する目的は、本考案の特定の原理及びその実際の用途を説明することで、当業者が本考案のさまざまな例示的な実施形態、及びさまざまな選択や変更を実現及び利用できるようにすることである。当業者によって行われる任意の適切な変更又は修正は、本考案の請求範囲から逸脱しないと見なされるべきである。
【図１】
0003228308.tif 000003